(57)【特許請求の範囲】
【請求項１】
第１の表示の領域と、機能を示す表示の要素が配置される第２の表示の領域と、を表示する表示手段と、
入力される設定を変更する指示に応じて、前記機能に対応する設定値を異なる設定値に変更する変更手段と、
前記機能の設定値が変更された場合、前記設定値が変更された前記機能を表す画像を前記第１の表示の領域に表示させる画像表示手段と、
入力される表示の更新の指示に応じて、前記第１の表示の領域における前記画像の表示を維持しつつ、前記第２の表示の領域に表示される前記機能を変更する更新手段と、を含み、
前記画像表示手段は、前記機能の設定値が変更されていない場合に該機能を表す前記画像が前記第１の表示の領域に表示されないように制御するとともに、前記設定値が変更された前記機能を示す前記表示の要素が前記第２の表示の領域に表示されている場合に該機能を表す前記画像が前記第１の表示の領域に表示されないように制御する
情報処理装置。
【請求項２】
前記表示手段は、前記画像が表示される場合に前記第１の表示の領域を表示し、前記画像が表示されない場合に前記第１の表示の領域を表示しない、
請求項１に記載の情報処理装置。
【請求項３】
前記表示手段は、前記表示される前記画像の数に応じて異なる大きさの前記第１の表示の領域を表示する、
請求項１又は２に記載の情報処理装置。
【請求項４】
前記変更手段は、前記画像に対して入力される設定を変更する指示に応じて、該画像に係る前記機能の設定値を異なる設定値に変更する、
請求項１乃至３のいずれかに記載の情報処理装置。
【請求項５】
前記機能の設定値が変更された場合、初期化の画像を前記第１の表示の領域に表示させる初期化画像表示手段を更に含み、
前記変更手段は、前記初期化の画像に対して入力される設定値を初期化する指示に応じて、前記機能の設定値を初期値に変更する、
請求項１乃至４のいずれかに記載の情報処理装置。
【請求項６】
前記画像表示手段は、前記機能の設定値が初期値に変更されている場合、該機能を表す前記画像が前記第１の表示の領域に表示されないように制御する、
請求項１乃至５のいずれかに記載の情報処理装置。
【請求項７】
前記画像表示手段は、前記設定値が変更された前記機能を表す画像として、該機能の設定値を表す画像を前記第１の表示の領域に表示させる、
請求項１乃至６のいずれかに記載の情報処理装置。
【請求項８】
前記更新手段は、前記入力される表示の更新の指示に応じて、前記機能を示す表示の要素のうちの一部分又は全部を前記第２の表示の領域に表示させ、
前記画像表示手段は、前記設定値が変更された前記機能を示す前記表示の要素の全部が前記第２の表示の領域に表示されている場合、該機能を表す前記画像が前記第１の表示の領域に表示されないように制御する
請求項１乃至７のいずれかに記載の情報処理装置。
【請求項９】
第１の表示の領域と機能を示す表示の要素が配置される第２の表示の領域とを表示する表示手段、
入力される設定を変更する指示に応じて、前記機能に対応する設定値を異なる設定値に変更する変更手段、
前記機能の設定値が変更された場合、前記設定値が変更された前記機能を表す画像を前記第１の表示の領域に表示させる画像表示手段、
入力される表示の更新の指示に応じて、前記第１の表示の領域における前記画像の表示を維持しつつ、前記第２の表示の領域に表示される前記機能を変更する更新手段
としてコンピュータを機能させるためのプログラムであって、
前記画像表示手段は、前記機能の設定値が変更されていない場合に該機能を表す前記画像が前記第１の表示の領域に表示されないように制御するとともに、前記設定値が変更された前記機能を示す前記表示の要素が前記第２の表示の領域に表示されている場合に該機能を表す前記画像が前記第１の表示の領域に表示されないように制御する
プログラム。
【発明の詳細な説明】
【技術分野】
【０００１】
本発明は情報処理装置及びプログラムに関し、特に機能及びその設定値の内容を表示する技術に関する。
【背景技術】
【０００２】
ファクシミリやプリンタ、複合機などの画像形成装置では、印刷部数や倍率などの機能に関する設定値を、設定画面に表示することによりユーザに対して提示するとともに、この設定画面が表示されている状態でユーザからの入力操作を受け付けて、元々の設定値から変更することが行われている。
【０００３】
これに対し、引用文献１には、処理動作の条件の指示を入力するための入力指示画面とともに、処理状況や処理結果を表すアイコンを表示する画像形成装置が開示されている。
【０００４】
また、引用文献２には、予め登録された画像形成条を表すアイコンを表示する画像形成装置が開示されている。
【先行技術文献】
【特許文献】
【０００５】
【特許文献１】特開２００１−１５４７７３号公報
【特許文献２】特開２００３−２２３０７９号公報
【発明の概要】
【発明が解決しようとする課題】
【０００６】
しかしながら、ユーザが機能の設定値を初期値（いわゆるデフォルト値）から変更した後、その機能や機能の設定値を一目で確認することができない画像形成装置がある。例えば、互いに異なる複数の設定値が複数の設定領域のそれぞれに配置される場合であって、設定画面に表示される設定領域の数が１つである場合、１つ目の設定領域の表示中は２つ目の設定領域が表示されず、ユーザは、２つ目の設定領域に配置される設定値を確認することができない。また例えば、設定領域全体のうちの一部分が設定画面に表示される場合、ユーザは、その表示中の領域外に配置される機能の設定値を確認することができない。
【０００７】
本発明は上記課題に鑑みてなされたものであって、その目的は、機能の設定値が変更された場合に、この機能や変更された設定値を表す要素を予め定められた領域に表示していない発明に比べて、設定値が変更された機能をユーザに容易に確認させることが可能な情報処理装置及びプログラムを提供することにある。
【課題を解決するための手段】
【０００８】
請求項１に記載の発明は、第１の表示の領域と機能を示す表示の要素が配置される第２の表示の領域とを表示する表示手段と、入力される設定を変更する指示に応じて、前記機能に対応する設定値を異なる設定値に変更する変更手段と、前記機能の設定値が変更された場合、前記設定値が変更された前記機能を表す画像を前記第１の表示領域に表示させる画像表示手段と、入力される表示の更新の指示に応じて、前記第１の表示の領域における前記画像の表示を維持しつつ、前記第２の表示の領域に表示される前記機能を変更する更新手段と、を含み、前記画像表示手段は、機能の設定値が変更されていない場合に該機能を表す前記画像が前記第１の表示の領域に表示されないように制御するとともに、前記設定値が変更された前記機能を示す前記表示の要素が前記第２の表示の領域に表示されている場合に該機能を表す前記画像が前記第１の表示の領域に表示されないように制御する情報処理装置である。
【０００９】
また、請求項２に記載の発明は、前記表示手段は、前記画像が表示される場合に前記第１の表示の領域を表示し、前記画像が表示されない場合に前記第１の表示の領域を表示しない、請求項１に記載の情報処理装置である。
【００１０】
また、請求項３に記載の発明は、前記表示手段は、前記表示される前記画像の数に応じて異なる大きさの前記第１の表示の領域を表示する、請求項１又は２に記載の情報処理装置である。
【００１１】
また、請求項４に記載の発明は、前記変更手段は、前記画像に対して入力される設定を変更する指示に応じて、該画像に係る前記機能の設定値を異なる設定値に変更する、請求項１乃至３のいずれかに記載の情報処理装置である。
【００１２】
また、請求項５に記載の発明は、前記機能の設定値が変更された場合、初期化の画像を前記第１の表示の領域に表示させる初期化画像表示手段を更に含み、前記変更手段は、前記初期化の画像に対して入力される設定値を初期化する指示に応じて、前記機能の設定値を初期値に変更する、請求項１乃至４のいずれかに記載の情報処理装置である。
【００１３】
また、請求項６に記載の発明は、前記画像表示手段は、前記機能の設定値が初期値に変更されている場合、該機能を表す前記画像が前記第１の表示の領域に表示されないように制御する、請求項１乃至５のいずれかに記載の情報処理装置である。
【００１４】
また、請求項７に記載の発明は、前記画像表示手段は、前記設定値が変更された前記機能を表す画像として、該機能の設定値を表す画像を前記第１の表示の領域に表示させる、請求項１乃至６のいずれかに記載の情報処理装置である。
【００１５】
前記更新手段は、前記入力される表示の更新の指示に応じて、前記機能を示す表示の要素のうちの一部分又は全部を前記第２の表示の領域に表示させ、前記画像表示手段は、前記設定値が変更された前記機能を示す前記表示の要素の全部が前記第２の表示の領域に表示されている場合、該機能を表す前記画像が前記第１の表示の領域に表示されないように制御する請求項１乃至７のいずれかに記載の情報処理装置である。
【００１６】
また、請求項９に記載の発明は、第１の表示の領域と機能を示す表示の要素が配置される第２の表示の領域とを表示する表示手段、入力される設定を変更する指示に応じて、前記機能に対応する設定値を異なる設定値に変更する変更手段、前記機能の設定値が変更された場合、前記設定値が変更された前記機能を表す画像を前記第１の表示の領域に表示させる画像表示手段、入力される表示の更新の指示に応じて、前記第１の表示の領域における前記画像の表示を維持しつつ、前記第２の表示の領域に表示される前記機能を変更する更新手段、としてコンピュータを機能させるためのプログラムであって、前記画像表示手段は、前記機能の設定値が変更されていない場合に該機能を表す前記画像が前記第１の表示の領域に表示されないように制御するとともに、前記設定値が変更された前記機能を示す前記表示の要素が前記第２の表示の領域に表示されている場合に該機能を表す前記画像が前記第１の表示の領域に表示されないように制御するプログラムである。
【発明の効果】
【００１７】
上記請求項１に記載の情報処理装置によれば、機能の設定値が変更された場合に、この機能や変更された設定値を表す要素を予め定められた領域に表示していない発明に比べて、設定値が変更された機能をユーザに容易に確認させることができる。
【００１８】
また、上記請求項２に記載の情報処理装置によれば、設定値が変更された機能が存在しない場合、第１の表示の領域の表示を省くことができる。
【００１９】
また、上記請求項３に記載の情報処理装置によれば、第１の表示の領域の大きさが変わらない場合に比べて多数の機能を表す画像を表示させることができる。
【００２０】
また、上記請求項４に記載の情報処理装置によれば、画像に対して入力される設定を変更する指示に応じて、機能の設定値を変更することができる。
【００２１】
また、上記請求項５に記載の情報処理装置によれば、初期化の画像に対して入力される設定を変更する指示に応じて、第１の表示の領域に表示されている機能の設定値を、一度の操作で初期値に変更することができる。
【００２２】
また、上記請求項６に記載の情報処理装置によれば、初期値に変更された機能に関する画像の表示を省くことができる。
【００２３】
また、上記請求項７に記載の情報処理装置によれば、変更された機能の設定値を表す要素を予め定められた領域に表示していない発明に比べて、この機能の設定値をユーザに容易に確認させることができる。
【００２４】
また、上記請求項８に記載の情報処理装置によれば、表示の要素の全部が表示される機能を表す画像の表示を省くことができる。
【００２５】
また、上記請求項９に記載のプログラムによれば、機能の設定値が変更された場合に、この機能や変更された設定値を表す要素を予め定められた領域に表示していない発明に比べて、コンピュータを用いて、設定値が変更された機能をユーザに容易に確認させることができる。
【図面の簡単な説明】
【００２６】
【図１】情報処理装置の一例を示す図である。
【図２】機能設定画面の一例を示す図である。
【図３】機能設定画面の一例を示す図である。
【図４】機能設定画面の一例を示す図である。
【図５】機能設定画面の一例を示す図である。
【図６】情報処理装置の機能的構成の一例を示す機能ブロック図である。
【図７】設定情報の一例を示す図である。
【図８】機能設定画面の一例を示す図である。
【図９】機能設定画面の一例を示す図である。
【図１０】機能設定画面の一例を示す図である。
【発明を実施するための形態】
【００２７】
以下に、本発明を実施するための形態の一例（以下、実施形態と呼ぶ）を、図面に従って説明する。なお、本明細書の各図について、既出の図に関して前述したものと同様の要素には同一の符号を付して、詳細な説明を適宜省略することがある。
【００２８】
［１．ハードウェア構成］
図１は、本実施形態に係る情報処理装置の外観を示す図である。情報処理装置１は、例えば、ユーザが利用する印刷装置であり、マイクロプロセッサなどの制御部１０１（図示せず）と、ＲＡＭやハードディスクドライブなどの記憶部１０２（図示せず）と、ディスプレイなどの表示部１０３と、ユーザの入力を受け付ける入力ボタンや表示部１０３の上に重ねて設けられるタッチパネルなどの入力部１０４を備える。
【００２９】
［２．機能設定画面］
以下では、本実施形態に係る情報処理装置１の表示部１０３に表示される表示内容を、図２から図５に示す機能設定画面の例に基づいて説明する。
【００３０】
図２乃至図５は、本実施形態に係る情報処理装置１の表示部１０３に表示される機能設定画面の一例を示している。図２に示すように、表示部１０３に表示される機能設定画面１０には、タブ１５に対して入力される表示変更の指示に応じて表示内容が変動する変動領域１１と、タブ１５への表示変更指示が行われても表示内容の一部が維持される非変動領域１２が表示される。また、変動領域１１には、情報処理装置１が有する機能に対し設定される、現在の設定値を示す表示要素１３と、設定値を変更するための画面（例えば、機能に対し設定可能な設定値の一覧が表示されるドロップダウンリストなど）を表示させるための設定変更ボタン１４などが表示される。
【００３１】
ここで、図２に示す機能設定画面１０には、情報処理装置１が有する機能のうちの一部の機能の設定値について表示される。より具体的には、機能グループ「設定Ａ」に属する「印刷部数」や「カラーモード」、「倍率選択」などの機能の設定値が表示される。
【００３２】
タブ１５に対する表示更新の指示（例えば、タッチパネルにおける、タブ１５の表示位置へのタッチ操作など）が行われると、「設定Ａ」に属する以外の、他の機能について表示される。例えば、機能グループ「設定Ｂ」を示すタブ１５に対する表示更新の指示が行われると、図３に示す機能設定画面１０が表示される。同図に示すように、ここでの機能設定画面１０には、「設定Ｂ」に属する「パンチ」や「ホチキス」などの機能の設定値が表示される。また、ここで「設定Ａ」を示すタブ１５に対する表示更新の指示が行われると、表示部１０３には、図２に示した機能設定画面１０が再び表示される。
【００３３】
なお、図２及び図３は、各種機能の現在の設定値として、予め定められた初期値が設定される場合の例を示している。なお、各種機能ごとの初期値は、予め情報処理装置１の記憶部１０２に記憶されているものとする。
【００３４】
図４は、情報処理装置１の一部の機能について、初期値とは異なる設定値が設定される場合の例を示している。同図に示すように、機能設定画面１０の非変動領域１２には、初期値から変更された機能や変更された設定値を表す画像である識別画像２０ａ、２０ｂ、２０ｃ、２０ｅ（以降、これらをまとめて識別画像２０ということもある）と、変更された設定値を初期値に変更するための初期化画像２１が表示される。ここで、タブ１５に対する表示更新の指示が行われても、非変動領域１２における識別画像２０及び初期化画像２１の表示が維持されるため、非変動領域１２における識別画像２０及び初期化画像２１の表示が維持しない場合に比べて、ユーザは、初期値から変更された機能や設定値を容易に確認することが可能である。
【００３５】
例えば、図４では、「設定Ｂ」に属する機能である「パンチ」の設定値が、初期値の「しない」から「する」に変更されている。このため、非変動領域１２には、機能「パンチ」を表す識別画像２０ｄが表示されることとなる。また、同じく、機能「ホチキス」の設定値も、初期値の「しない」から「する」変更されているため、非変動領域１２には、機能「ホチキス」を表す識別画像２０ｅが表示されることとなる。このように、変動領域１１において「設定Ｂ」に属する機能が表示されていない場合であっても、非変動領域１２に識別画像２０ｄ、２０ｅが表示されることにより、初期値から設定値が変更された機能を表す識別画像を機能設定画面１０の非変動領域１２に表示しない場合に比べて、ユーザは、「設定Ｂ」に属する「パンチ」や「ホチキス」の機能が初期値から変更されたことを容易に確認することが可能である。
【００３６】
また例えば、図４では、機能「カラーモード」の設定値が「カラー」であることを表す識別画像２０ａや、機能「両面」の設定値が「長辺とじ」であることを表す識別画像２０ｂ、機能「まとめて１枚」の設定値が「４アップ」であることを表す識別画像２０ｃが表示されることとなる。このため、仮に変動領域１１において「設定Ａ」に属する機能が表示されていない場合であっても、初期値から変更された機能の設定値を表す識別画像を機能設定画面１０の非変動領域１２に表示しない場合に比べて、ユーザは「設定Ａ」に属する機能について、初期値から変更された設定値を容易に確認することが可能である。
【００３７】
また、本実施形態に係る情報処理装置１では、ユーザは、識別画像２０に対して設定を変更する指示を行うことにより、機能の設定値を変更できるようになっている。
【００３８】
図５は、識別画像２０に対する設定を変更する指示（例えば、タッチパネルにおける識別画像２０の表示位置へのタッチ操作など）に応じて、機能の設定値が表示される場合の例を示している。同図に示すように、識別画像２０に対する入力操作が行われると、機能設定画面１０には、この識別画像２０に係る機能に対し設定可能な設定値の一覧を表す機能選択領域２２が表示される。さらに、機能選択領域２２に表示される設定値の一覧からいずれかを選択する入力操作が行なわれることで、この機能の設定値は選択された設定値に変更される。
【００３９】
このように機能の設定値が異なる設定値に変更されると、識別画像２０は、その変更された設定値を表すものに変化する。例えば、機能「まとめて１枚」について、元々の設定値である「４アップ」から「２アップ」に変更されると、この機能について「４アップ」に設定されることを表す識別画像２０ｃは、「２アップ」に設定されることを表す画像に変化する。
【００４０】
なお、機能選択領域２２には、機能について予め記憶されている初期値を示す要素も表示されており、このような要素を選択する入力操作がユーザにより行われることで、この識別画像２０に係る機能の設定値は、初期値に変更される。ここで、機能の設定値が初期値に変更される場合、元々表示されていた識別画像２０は表示されなくなる。例えば、ユーザにより、機能「まとめて１枚」の設定値が初期値である「Ｎアップしない」に変更される場合、識別画像２０ｃは、機能設定画面１０に表示されなくなる。
【００４１】
また、本実施形態に係る情報処理装置１では、ユーザにより初期化画像２１に対する設定を変更する指示が行なわれることで、初期値から変更された全ての機能の設定値は、それぞれの初期値に変更される。そうすると、初期化画像２１及び全ての識別画像２０は、機能設定画面１０に表示されなくなる。即ち、識別画像２０及び初期化画像２１は、初期値とは異なる設定値が設定されている場合に表示されることとなる。
【００４２】
［３．機能ブロック］
ここで、図２乃至図５に示した機能設定画面１０を表示するための情報処理装置１の機能の詳細について説明する。
【００４３】
図６は、情報処理装置１の機能的構成の一例を示す機能ブロック図である。同図に示すように、情報処理装置１は、機能的には、設定情報記憶部１１１と、識別画像記憶部１１２と、現在設定値変更部１２１と、識別画像表示部１２２と、初期化画像表示部１２３と、表示領域表示部１２４と、表示更新部１２５と、を含む。これらの機能は、情報処理装置１の記憶部１０２に記憶されるプログラムを、情報処理装置１の制御部１０１が実行することにより実現される。このプログラムは、通信ネットワークを介して他の装置からダウンロードされることにより情報処理装置１に提供されてもよいし、光ディスクやＵＳＢメモリなどのコンピュータ読み取り可能な情報記録媒体から提供されてもよい。
【００４４】
［３−１．設定情報記憶部］
設定情報記憶部１１１は、情報処理装置１が有する複数の機能について、現在の設定値や初期値を示す設定情報を記憶する。なお、設定情報記憶部１１１は、情報処理装置１の記憶部１０２を含んで実現されることとしてよい。
【００４５】
図７は、設定情報記憶部１１１に記憶される設定情報の一例を示す図である。同図に示すように、設定情報には、「部数」や「カラーモード」などの各種機能に対し設定され得る複数の設定値と、現在の設定値を示す情報と、初期値を示す情報と、識別画像記憶部１１２（後述）に記憶される識別画像２０を特定するための情報（例えば、ファイル名など）が含まれている。
【００４６】
［３−２．識別画像記憶部］
識別画像記憶部１１２は、情報処理装置１が有する機能又は機能の設定値を表す識別画像２０を記憶する。なお、識別画像記憶部１１２は、情報処理装置１の記憶部１０２を含んで実現されることとしてよい。
【００４７】
［３−３．現在設定値変更部］
現在設定値変更部１２１は、機能設定画面１０に表示される機能を示す表示要素１３や設定変更ボタン１４などに対して入力される設定を変更する指示に応じて、この機能に対応する現在の設定値を異なる設定値に変更する。ここで、設定を変更する指示とは、操作ボタンやタッチパネルなどの入力部１０４がユーザからの入力操作を検出し、その検出内容に基づく指示であり、ユーザが希望する設定値を示すものである。
【００４８】
より具体的には、現在設定値変更部１２１は、設定情報記憶部１１１に記憶される設定情報の現在設定値を、上記設定を変更する指示により示される設定値に変更する。例えば、図７に示す設定情報が記憶される場合であって、設定を変更する指示により「カラーモード」の設定値が「モノクロ」に指示される場合、現在設定値変更部１２１は、機能「カラーモード」の現在設定値を、「カラー」から「モノクロ」に変更する。
【００４９】
また、現在設定値変更部１２１は、識別画像２０に対して入力される設定値を変更する指示に応じて、この識別画像２０に係る機能の設定値を異なる設定値に変更する。現在設定値変更部１２１は、例えば、識別画像２０に係る機能の設定値を、機能選択領域２２（図５参照）に表示される中からユーザにより選択される設定値に変更する。
【００５０】
また、現在設定値変更部１２１は、初期化画像２１に対して入力される設定を初期化する指示に応じて、初期値から変更された機能の設定値を初期値に変更する。例えば、図７に示す設定情報が記憶されている場合に初期化画像２１に対する入力があった場合、現在設定値変更部１２１は、機能「カラーモード」「両辺」「まとめて１枚」「パンチ」「ホチキス」の現在設定値を、それぞれの初期値である「自動」「しない」「Ｎアップしない」「しない」「しない」に変更する。
【００５１】
［３−４．識別画像表示部］
識別画像表示部１２２は、機能の設定値が予め定められた初期値から変更された場合、この機能や変更された設定値を表す識別画像２０を機能設定画面１０の非変動領域１２に表示させる。また、識別画像表示部１２２は、機能の設定値が予め定められた初期値に変更されている場合、この機能に係る識別画像２０が非変動領域１２に表示されないように制御する。
【００５２】
より具体的には、識別画像表示部１２２は、設定情報記憶部１１１に記憶される設定情報を参照し、機能の現在設定値が初期値と異なっていれば、この機能に係る識別画像２０を非変動領域１２に表示させる。例えば、図７に示す設定情報が記録される場合、識別画像表示部１２２は、現在設定値が初期値と異なる機能である「カラーモード」について、設定値が「カラー」であることを表す識別画像２０である「画像イ」を表示させる。同様に、識別画像表示部１２２は識別画像２０として、機能「両面」が設定値「長辺閉じ」であることを表す「画像ニ」と、機能「まとめて１枚」が設定値「４アップ」であることを表す「画像ト」と、「パンチ」が初期値の「しない」から「する」に変更されていることを表す「画像ヌ」と、「ホチキス」が初期値の「しない」から「する」に変更されていることを表す「画像ル」を表示させる。
【００５３】
なお、設定情報において、設定値に対応する識別画像２０を特定するための情報が設定されていない場合（例えば、図７に示す設定値のうち、識別画像が「−」である場合）、識別画像表示部１２２は、機能の現在設定値が初期値と異なる場合であっても、この設定値を表す識別画像２０を表示させないこととしてよい。
【００５４】
［３−５．初期化画像表示部］
初期化画像表示部１２３は、機能の設定値が予め定められた初期値から変更されている場合、初期化画像２１を機能設定画面１０の非変動領域１２に表示させる。ここで、初期化画像２１に対する設定を変更する指示が行われると、現在設定値変更部１２１により各種機能の設定値は全て初期値に変更されるため、機能設定画面１０の非変動領域１２には、識別画像２０及び初期化画像２１はいずれも表示されなくなる。
【００５５】
［３−６．表示領域表示部］
表示領域表示部１２４は、非変動領域１２と、情報処理装置１が有する複数の機能のうち一部の機能を示す表示要素１３が配置される変動領域１１と、を含む機能設定画面１０を表示部１０３に表示させる。ここで、識別画像表示部１２２及び初期化画像表示部１２３により識別画像２０及び初期化画像２１が表示される場合、表示領域表示部１２４は、識別画像２０及び初期化画像２１を含む機能設定画面１０を表示させることとなる。
【００５６】
［３−７．表示更新部］
表示更新部１２５は、入力される表示更新の指示に応じて、非変動領域１２における識別画像２０及び初期化画像２１の表示を維持しつつ、変動領域１１に表示される機能を変更する。表示更新部１２５は、例えば、「設定Ｂ」を示すタブ１５に対する表示更新の指示が行われると、変動領域１１に表示される機能を「設定Ａ」に属する機能から「設定Ｂ」に属する機能に変更する。
【００５７】
ここで、初期値から設定値が変更された機能がある場合、この機能に係る識別画像２０は、非変動領域１２に引き続き表示されることとなる。このため、仮に機能の設定値を示す表示要素１３が変動領域１１に表示されなくなったとしても、機能の設定値を示す表示要素１３が変更領域１１に表示されなくなったときに非変動領域１２に引き続き識別画像２０を表示しない場合に比べて、ユーザは初期値から設定値が変更された機能や、この機能の設定値を容易に確認することが可能である。
【００５８】
［４．変形例］
以上、本発明の一例である実施形態について説明したが、本発明は上記実施形態に限定されるものではない。以下、本発明を実施するための他の形態の例（変形例）について説明する。
【００５９】
（１）実施形態においては、情報処理装置１が印刷装置である場合について説明したが、情報処理装置１は、制御部１０１や記憶部１０２、表示部１０３、入力部１０４を備えるものであればよく、例えば、スマートフォンなどの携帯電話やタブレット端末、パーソナルコンピュータなどであってもよい。
【００６０】
（２）実施形態においては、情報処理装置１の表示領域表示部１２４が、非変動領域１２と、機能の設定値を示す表示要素１３が配置される領域の少なくとも一部である変動領域１１とを含む機能設定画面１０を表示部１０３に表示させる場合について説明した。しかし、識別画像２０及び初期化画像２１が表示されていない間は、必ずしも非変動領域１２を表示させなくともよい。
【００６１】
そこで、本変形例に係る表示領域表示部１２４は、識別画像２０が識別画像表示部１２２により表示される場合に非変動領域１２を表示させ、識別画像２０が表示されない場合に非変動領域１２が表示されないように制御する。このようにすることで、初期値から変更された設定値が存在しない場合に、機能設定画面１０における非変動領域１２の表示スペースを省き、常に非変更領域１２を表示している場合に比べ、変動領域１１を広く表示させることが可能となる。
【００６２】
（３）また、多数の機能が初期値から変更され、多数の識別画像２０が表示される場合、非変動領域１２の大きさが不変であると、全ての識別画像２０が非変動領域１２内に入りきらない場合がある。そこで、表示領域表示部１２４は、識別画像表示部１２２により表示される識別画像２０の数に応じて、異なる大きさの非変動領域１２を表示させることとしてもよい。このようにすることで、表示領域表示部１２４は、非変動領域１２の大きさを一定とする場合に比べ、多くの識別画像２０を表示することが可能となる。
【００６３】
（４）実施形態においては、機能の設定値が初期値から変更されている場合、識別画像表示部１２２が、この機能や、変更された設定値を表す識別画像２０を、機能設定画面１０の非変動領域１２に表示させる場合について説明した。しかし、機能の設定値を示す表示要素１３が変動領域１１に表示されていれば、この機能に係る識別画像２０を重複して表示させなくとも、ユーザは変更された設定値を確認できる。
【００６４】
そこで、本変形例に係る識別画像表示部１２２は、機能の設定値を示す表示要素１３が変動領域１１に表示されている場合、この機能に係る識別画像２０が非変動領域１２に表示されないように制御する。
【００６５】
図８は、本変形例に係る機能設定画面の一例を示す図である。同図に示す機能設定画面１０において、情報処理装置１の機能である「パンチ」及び「ホチキス」の現在の設定値は、いずれも初期値である「しない」から「する」に変更されている。しかし、「パンチ」及び「ホチキス」を示す表示要素１３が表示されている間は、これらの機能を表す識別画像２０が非変動領域１２に表示されないように制御される。
【００６６】
このように、本変形例に係る情報処理装置１は、表示中の表示要素１３に係る機能を表す識別画像２０の表示を省略しない場合より、非変動領域１２に表示される識別画像２０の数を最小限にしながら、ユーザに変更された機能や、この機能の設定値を容易に確認させることが可能である。
【００６７】
（５）実施形態においては、タブ１５に対する入力操作で表示内容が変動する変動領域１１が機能設定画面１０に表示される場合について説明したが、例えば、図９に示す機能設定画面１０のように、スクロールバー１６に対して入力される表示更新の指示（例えば、スクロールバーを設定画面１０の上下方向に移動させる入力操作又はジェスチャーなどにより設定画面１０を上下方向に移動させる入力操作）が行われることにより表示内容が変動する変動領域１１が配置されることとしてもよい。この場合、スクロールバーの位置に応じて変動領域１１に表示される表示要素１３が変更されるため、スクロールバーの位置によっては、機能の設定値を示す表示要素１３が表示されない場合がある。
【００６８】
ここで、識別画像表示部１２２は、変形例（４）と同様に、機能を示す表示要素１３が変動領域１１に表示されている場合、この機能に係る識別画像２０が表示されないように制御することとしてもよい。例えば、図９に示す例では、変動領域１１に表示されている「パンチ」「ホチキス」を表す識別画像２０については、非変動領域１２に表示されないこととなる。
【００６９】
なお、図９の例では、識別画像表示部１２２は、機能を示す表示要素１３の全部が表示されているのであれば、この機能に係る識別画像２０を表示しないこととしている。この他にも、識別画像表示部１２２は、機能を示す表示要素１３の一部分が表示されている場合に、この機能に係る識別画像２０を表示しないこととしてもよく、図９の例において、機能「まとめて１枚」の設定値を表す識別画像２０ｃを表示しないこととしてもよい。
【００７０】
（６）また、図１０に示すように、機能設定画面１０の非変動領域１２には、設定値が初期値から変更された機能や機能の設定値を表す識別画像２０の他にも、機能の名称を表すテキスト情報である機能名３１や、設定値のテキスト情報である設定値情報３２、設定変更ボタン３３などが表示されることとしてもよい。また、設定値情報３２や設定変更ボタン３３に対する入力操作がおこわなれることで、機能に対し設定可能な設定値の一覧を表す機能選択領域２２（図５参照）が表示されるようにし、機能の設定値が表示された一覧の中から選択された設定値に変更されるようにしてもよい。
【００７１】
［５．確認事項］
なお、特許請求の範囲における画像、及び、表示の要素は、それぞれ、例えば、識別画像２０、表示要素１３に相当する。また、特許請求の範囲における第１の表示の領域、及び、第２の表示の領域は、それぞれ、例えば、非変動領域１２、変動領域１１に相当する。
【符号の説明】
【００７２】
１  情報処理装置、１０  機能設定画面、１１  変動領域、１２  非変動領域、１３  表示要素、１４  設定変更ボタン、１５  タブ、１６  スクロールバー、２０  識別画像、２１  初期化画像、２２  機能選択領域、３１  機能名、３２  設定値情報、３３  設定変更ボタン、１０１  制御部、１０２  記憶部、１０３  表示部、１０４  入力部、１１１  設定情報記憶部、１１２  識別画像記憶部、１２１  現在設定値変更部、１２２  識別画像表示部、１２３  初期化画像表示部、１２４  表示領域表示部、１２５  表示更新部。
【図１】
0006390267.tif 000002
【図２】
0006390267.tif 000003
【図３】
0006390267.tif 000004
【図４】
0006390267.tif 000005
【図５】
0006390267.tif 000006
【図６】
0006390267.tif 000007
【図７】
0006390267.tif 000008
【図８】
0006390267.tif 000009
【図９】
0006390267.tif 000010
【図１０】
0006390267.tif 000011